(57)【特許請求の範囲】
【請求項１】
手首内側の血管（３０）のパターンの画像（１）を撮影する生体認証センサ装置において、
リストストラップ（１２）の部分と、
この部分に取り付けられた近赤外線カメラ（３）と、
を有し、
このカメラ（３）が、前記の手首から１０ｍｍを上回る、好ましくは、２０ｍｍを上回る間隔に前記の部分を保持しながら、前記の血管の焦点の合った画像を撮影するように構成され、前記の部分がデプロイアント式止め具（４）であることを特徴とする装置。
【請求項２】
更に、手首の撮影する部分のサイズを制御するとともに、像をカメラの焦点に合わせるためのレンズを有することを特徴とする請求項１に記載の装置。
【請求項３】
更に、当該の内側の部分を照明する照明ユニット（１５）を有することを特徴とする請求項１に記載の装置。
【請求項４】
当該の照明ユニットが、当該のカメラ（３）の上、周囲又は下の光ガイドとして動作する透光性の板又はフォイルと、この板又はフォイルに光を放射する光源とを備えることを特徴とする請求項３に記載の装置。
【請求項５】
当該の止め具（４）が、この止め具を閉じる時に重ね合わされ、この止め具を装備した時に並置される複数のブレード（１０）を備えることを特徴とする請求項１に記載の装置。
【請求項６】
当該のカメラ（３）が当該のブレード（１０）の中の一つに取り付けられることを特徴とする請求項５に記載の装置。
【請求項７】
更に、当該の止め具（４）を閉鎖するカバー（１１）を有し、このカバー（１１）が当該のカメラ（３）を収容することを特徴とする請求項１に記載の装置。
【請求項８】
当該のブレード（１０）の中の少なくとも一つが窓（１０１）を有し、当該のカメラ（３）が、この窓（１０）を通して当該のパターンの画像（１）を撮影するように構成されることを特徴とする請求項５に記載の装置。
【請求項９】
当該のカメラ（３）が当該の止め具（４）の下側に取り付けられることを特徴とする請求項１に記載の装置。
【請求項１０】
当該のカメラ（３）が当該の止め具（４）の横側に取り付けられることを特徴とする請求項１に記載の装置。
【請求項１１】
当該のリストストラップ（１２）が、撮影中に当該のカメラ（３）と当該の手首の間の間隔を増大させるために弾力的であることを特徴とする請求項１に記載の装置。
【請求項１２】
更に、当該のユーザがボタンを作動した時に当該の撮影を起動するボタン（１１０）を有することを特徴とする請求項１に記載の装置。
【請求項１３】
ユーザが当該のリストストラップを閉じる時又はユーザが撮影を起動した時に一連の画像を自動的に撮影するように構成されることを特徴とする請求項１に記載の装置。
【請求項１４】
更に、当該のカメラ（３）を用いて、手首に対して異なる間隔及び／又は向きで撮影した一連の画像を解析して、手首の所望の部分を含む少なくとも一つの画像を選定するコンピュータビジョンソフトウェアモジュールを有することを特徴とする請求項１に記載の装置。
【請求項１５】
複数のカメラ（３）を備え、これらのカメラの各々が当該の手首の複数のシーケンスの画像を撮影するように構成されることを特徴とする請求項１に記載の装置。
【請求項１６】
更に、プロセッサと、このプロセッサに手首の異なる部分の画像を組み合わせることを実施させる、このプロセッサにより実行可能なソフトウェアモジュールとを有することを特徴とする請求項１に記載の装置。
【請求項１７】
リストストラップ（１２）の部分と、
この部分に取り付けられた近赤外線カメラ（３）と、
を有する生体認証センサ装置を用いて手首の内側の血管（３０）のパターンの画像（１）を撮影する方法であって、
デプロイアント式止め具（４）である、リストストラップ（１２）の部分を手首から１０ｍｍを上回る、好ましくは、２０ｍｍを上回る間隔に保持する工程と、
前記の部分に取り付けられた近赤外線カメラ（３）を用いて、前記の血管の焦点の合った画像を撮影する工程と、
を有する方法。
【発明の詳細な説明】
【技術分野】
【０００１】
本発明は、リストストラップにおける、手首の血管を検出する生体認証センサに関する。
【背景技術】
【０００２】
生体認証は、ユーザを認証又は識別するために広く使用されている。生体認証は、多くの場合、指紋、声、網膜、虹彩、手掌、顔又は手首の血管を認識することに基づく。本出願は、手首の血管パターンに基づきユーザを認証又は識別するために使用される生体認証センサに関する。
【０００３】
人の手首の皮下血管は、赤外線照射、特に、近赤外線（ＮＩＲ）照射により撮影することができる。
【０００４】
その技術は、特に、非特許文献１に開示されており、静脈を読み取るスマートカード保持体に関する。
【０００５】
その主題に関する口演発表が、１９９９年１月のワシントンＤＣでのバイオメトリックサミットにおいて、ジョー・ライス（Ｊｏｅ  Ｒｉｃｅ）氏により行なわれた。その講演は、その後非特許文献２で発表されている。
【０００６】
非特許文献３は、静脈パターン生体認証の別の側面とそれが個人のプライバシーとセキュリティの保護に如何に適用できるかを記載している。
【０００７】
特許文献１は、手首の周りに装着する生体認証データ取得機器を記載している。その機器は、生体の静脈パターンを取得するための生体認証取得ユニットと、この生体認証取得ユニットにより取得した静脈パターンを用いて個人認証を実施するための認証ユニットとを有する。その生体認証データ取得ユニットは、ＬＥＤや円形の光源ユニットなどの照射光を放射する光源ユニットと、腕時計の円形の基礎部分の一方の主要面上に配備されたＣＣＤ機器及びマイクロレンズアレーなどの受光ユニットとを有する。その文献は、光源ユニット及びＣＣＤ機器の製造に使用される技術を記載していない。従来技術の結果は、腕時計、特に、平坦な腕時計に統合することが難しい厚い平坦な機器となっている。更に、手首の背側領域の大きな面積を走査するために必要となる大きなＣＣＤは高価であり電力を消費する。
【０００８】
特許文献２は、皮膚上に載せて、皮下のパターン又は動脈、静脈、毛細血管及びそれ以外の血管を検出する生体認証センサを配置した腕時計を記載している。そのセンサを製造するために使用される技術は記載されていない。
【０００９】
特許文献３は、手首の血管パターンの画像を取得する取得部分を備えた装置を記載している。その取得部分は、近赤外線ＬＥＤ又はＣＣＤカメラなどの赤外線カメラを備えている。その装置は、容積が大きく、椅子の肘掛けに統合することを意図している。
【００１０】
特許文献４は、検出された血管に基づき個人を識別する装置を開示している。その装置は、赤外線発光ダイオードと反射光検知手段を備えている。
【００１１】
特許文献５は、認証用途のための装着可能な手首血管パターン装置を開示している。その手首の装置は、ＬＥＤやＶＣＳＥＬレーザなどの照射器と、手首接触センサアレー、例えば、ＣＣＤセンサとを備えている。
【００１２】
特許文献６は、認証用途のために皮下血管を検出するように構成された生体認証パターン検出方法及び装置を記載している。その装置は、皮膚の表皮組織と深層組織の間を光学的、電気的及び／又は温度的に弁別することを利用している。一つの実施形態では、組織構造が、皮膚上に配列された複数の温度検出装置により生成されている。温度検出装置、例えば、サーミスタ、ボロメータ、サーモパイルの二次元配列が表皮層温度を検出するために配置されている。
【００１３】
それらの従来技術の装置の問題は、それらの装置を腕時計又は腕時計のブレスレットに統合することを難しくする装置の厚さである。
【００１４】
別の問題は、様々な異なる寸法でセンサを設計、製造するコストである。腕時計とブレスレットは、多彩なサイズと形状で存在し、センサのサイズと形状をそれぞれ特定のデザインに適合させることが望ましい。しかし、従来のフォトリソグラフィ技術を用いて少数の装置シリーズを生産するコストは高過ぎる。
【００１５】
別の問題は、皮膚上に直に載せた赤外線センサを用いて撮像できる領域のサイズが小さいことである。その領域は、通常は直径が４２ｍｍ以下の円である、皮膚と接触する時計の裏面によって制限される。その面は、信頼できる認証を実行するのに十分な大きさの血管パターンを撮影するには不十分である。更に、腕時計は、常に手首の同じ領域に載っておらず、多くの場合手首に沿って回転し、滑ることができるように比較的緩く保持されている。そのため、血管の基準パターンと検査パターンは、多くの場合手首の異なる領域に対応し、その結果多くの正当なユーザが拒否されている。
【００１６】
大抵の従来の解決策は、腕時計の裏に統合されており、そのため、手首の背側の血管パターンを撮影することを意図している。しかし、その背側は、潤いに乏しく、手首の内側よりも血管が少ない。従って、認証は、制限された数の血管の間の照合に基づき、そのため、非常に信頼できるものではない。
【先行技術文献】
【特許文献】
【００１７】
【特許文献１】米国特許第８０１９１２６号明細書
【特許文献２】米国特許第６７９９７２６号明細書
【特許文献３】米国特許第７１７４０３２号明細書
【特許文献４】米国特許第４６９９１４９号明細書
【特許文献５】米国特許公開第２０１４０１９６１３１号明細書
【特許文献６】欧州特許第２３２８１１１号明細書
【非特許文献】
【００１８】
【非特許文献１】インターネット（ＵＲＬ：ｈｔｔｐ：／／ｗｗｗ．ｎｙｔｉｍｅｓ．ｃｏｍ／１９８８／１２／１４／ｂｕｓｉｎｅｓｓ／ｂｕｓｉｎｅｓｓ−ｔｅｃｈｎｏｌｏｇｙ−ａ−ｃａｒｄ−ｔｈａｔ−ｓｅｅｓ−ｕｓｅｒ−ｓ−ｖｅｉｎｓ．ｈｔｍｌ）で入手可能な、ニューヨークタイムズ社が発表した記事
【非特許文献２】インターネット（ＵＲＬ：ｈｔｔｐｓ：／／ｇｒｏｕｐｓ．ｇｏｏｇｌｅ．ｃｏｍ／ｆｏｒｕｍ／＃！ｍｓｇ／ｃｏｍｐ．ｓｏｃｉｅｔｙ．ｐｒｉｖａｃｙ／ｇｙｎＱＯＱＨＸｚｍＱ／６ＬｐＪｕｂＬＯＷｍｗＪ）で入手可能な講演記事
【非特許文献３】インターネット（ＵＲＬ：ｈｔｔｐ：／／ｆｉｎｇｅｒｃｈｉｐ．ｐａｇｅｓｐｅｒｓｏ−ｏｒａｎｇｅ．ｆｒ／ｂｉｏｍｅｔｒｉｃｓ／ｔｙｐｅｓ／ｖｅｉｎ＿ＪｏｅＲｉｃｅ．ｈｔｍ）で入手可能なＷｅｂページの記事
【発明の概要】
【発明が解決しようとする課題】
【００１９】
以上のことから、本発明の課題は、上記の従来技術による解決策の問題を解決又は緩和する装置を提供することである。
【課題を解決するための手段】
【００２０】
本発明では、本課題は、手首の内側の血管パターンの画像を撮影する生体認証センサ装置において、
リストストラップの部分と、
この部分に取り付けられ、このリストストラップの開閉中に、この部分を前記の手首から１０ｍｍを上回る間隔を開けて保持しつつ、前記のパターンの焦点の合った画像を撮影するように構成された近赤外線カメラと、
を有する装置により達成される。
【００２１】
本装置は、例えば、腕時計、リストストラップ（ブレスレット）などである。
【００２２】
本出願では、「画像」との用語は、異なる概念を網羅するような広い意味を与えられる。画像は、例えば、紙又はディスプレイ上の図画又は再生像とすることができる。画像は、そのような再生像に対応するデータ、例えば、ｔｉｆファイル、ｊｐｅｇファイルなどのファイルとすることができる。画像は、可視現象、例えば、人又は可視波長センサが見える可視範囲内の再生像、或いは不可視なもの、例えば、赤外線センサ、近赤外線センサ、温度センサなどのセンサにより撮影された値のデータ又は再生像に対応付けることができる。
【００２３】
このカメラは、リストストラップの部分の内側に配備され、従って、このストラップに取り付けられたスマートウォッチ、或いは、例えば、このストラップと接続されたコンピュータ、携帯電話又はタブレットを用いてアプリケーション及び／又はウェブサイトにアクセスした時に、ユーザを識別するために使用することができる。そのため、この識別は、物体（リストストラップ）の所有の証明と生体の特徴によって実現される。
【００２４】
手首の内側から間隔を開けている時に、例えば、１０ｍｍを上回る間隔、例えば、２０ｍｍを上回る間隔を開けている時に画像を撮影することによって、手首の比較的大きな領域を撮影することができる。これは、より大きな血管網とより多くの数の特徴に基づき照合することができるので、基準画像との照合をより信頼できるものにする。更に、撮影した画像の十分な部分がそれに対応する基準画像の部分と一致する可能性がより高くなる。
【００２５】
このカメラは、好ましくは、リストストラップの開閉中に、カメラを手首の内側に対して１０ｍｍ（好ましくは、２０ｍｍ）を上回る間隔〜１０ｍｍを下回る（好ましくは、５０ｍｍを下回る）間隔に保持しつつ、血管の焦点の合った画像を撮影するように構成される。
【００２６】
間隔を開けて画像を撮影することは、手首の内側の比較的大きな部分をその内側の部分を照明する照明ユニットを用いて照明することができるので、照明も容易にする。
【００２７】
このセンサは、ストラップのデプロイアント式止め具に取り付けられる。
【００２８】
このデプロイアント式止め具は、止め具を装備する際に止め具を閉じて並置した時に重なり合う複数のブレードを備える。この止め具は、バタフライ式止め具、フリップ式止め具、音叉式止め具などである。これは二つ又は三つのブレードを備える。
【００２９】
このカメラは、これらのブレードの中の一つに取り付けられる。
【００３０】
この止め具は、ブレードの上にカバーを備える。このカバーはカメラを収容する。
【００３１】
これらのブレードの中の少なくとも一つは、窓、例えば、そのブレードの二つの平行な分岐部の間に開口を備える。このカメラは、この窓を通して血管パターンの画像を撮影するように構成される。
【００３２】
カメラは、止め具の下側（内側）に取り付けられる。
【００３３】
カメラは、止め具の横側に取り付けられて、止め具を固定した時に手首の内側を向く。
【００３４】
このリストストラップは、撮影中に前記のカメラと前記の手首の間の間隔を一時的に増大するために弾力的である。
【００３５】
本装置は、ユーザがボタンを作動した時に撮影を起動するボタンを有する。このボタンは、止め具を開閉するためにも使用される。
【００３６】
本装置は、ユーザがリストストラップを閉じる時に、例えば、止め具を閉じる時に撮影を自動的に起動するように構成される。
【００３７】
一つの例では、本装置は、閉じる動きを検出した時に撮影を自動的に起動するための加速度計を有する。
【００３８】
本装置は、ユーザが前記のリストストラップを閉じる時に、或いはユーザが撮影を作動した時に血管パターンの一連の画像を自動的に撮影するように構成される。
【００３９】
本装置は、更に、手首に対する様々な間隔及び／又は向きでカメラを用いて撮影した一連の画像を解析して、手首の所望の部分を含む少なくとも一つの画像を選定するコンピュータビジョンソフトウェアモジュールを有する。一つの実施形態では、一連の撮影は、ユーザにより手動で起動されるか、或いは止め具を固定した時に自動的に起動される。これらの一連の連続した画像の中から、手首の関連する部分に焦点を合った、指定された画像だけが認証又は識別プロセスに使用される。
【００４０】
本装置は、複数のカメラを有し、各カメラは、前記の手首の複数セットの一連の画像を撮影するように構成される。
【００４１】
本装置は、ユーザを識別又は認証するために、前記のセンサにより測定したデータを処理するプロセッサを有する。
【００４２】
本装置は、プロセッサが手首の異なる部分の複数の画像、例えば、一つのカメラの連続した画像及び／又は異なるカメラを用いて撮影した画像を組み合わせることを可能とする、プロセッサにより実行可能なソフトウェアモジュールを有する。
【００４３】
本発明は、例として挙げられ、図面により図示された実施形態の記述を用いて、より良く理解される。
【図面の簡単な説明】
【００４４】
【図１】人の手首の血管パターンの画像図
【図２】本発明による装置の第一の実施形態の側面図
【図３】本発明による装置の第二の実施形態の平面図
【図４ａ】本発明による装置の第三の実施形態の斜視図
【図４ｂ】本発明による装置の第三の実施形態の側面図
【図５ａ】本発明による装置の第四の実施形態の等長図
【図５ｂ】本発明による装置の第四の実施形態の等長図
【図６ａ】本発明による装置の第五の実施形態の等長図
【図６ｂ】本発明による装置の第五の実施形態の等長図
【図７】本発明による装置の第六の実施形態の等長図
【図８】本発明による装置の第七の実施形態の等長図
【図９ａ】開いた状態における本発明による装置の第八の実施形態の等長図
【図９ｂ】閉じた状態における本発明による装置の第八の実施形態の等長図
【図１０】手首から間隔を開けたカメラを用いて、ストラップを動かしながら一連の画像を撮影する方法を図解した図
【発明を実施するための形態】
【００４５】
図１は、一つの共通のＣＣＤカメラを用いて撮影した、人の手首の内側の画像１を図示している。それは、周囲の組織３１から明らかに区別できる血管３０、特に、静脈のパターンを示している。一つの例では、この画像は、近赤外線センサ又は温度センサを用いて撮影されたデータの可視領域での再生像である。このパターンは、個人の独特の特徴を構成し、その個人を識別又は認証するために、一つ又は複数の基準パターンと比較することができる。
【００４６】
図２は、本発明による装置の第一の実施形態を図示している。この実施形態では、ストラップ１２は、止め具を閉じた時に重なり合う、或いは並置される二つの関節式ブレード１０を備えたデプロイアント式フリップ止め具（又はバックル）４を有する。これらのブレードの中の一つ、好ましくは、下側のブレード１０は、止め具を閉じる時に上側のブレードが挿入される二つの平行な分岐部１００とそれらの分岐部の間の一つの窓１０１とを有する。カバー１１が、一方の側を一つのブレードと接続され、他方の側をストラップの一つの分岐部と接続されている。このカバーは、止め具を閉じた時に二つのブレード１０を少なくとも部分的に覆うとともに、ロック手段を有し、このロック手段は、止め具を固く閉じて保持するか、或いは少なくとも一つのボタン１１０に作用することにより止め具を開放する。
【００４７】
カメラ３が、カバー１１の横側に取り付けられており、止め具を正常に閉じた時に手首の内側を向く。この（別の全ての実施形態の）カメラは、近赤外線波長で血管パターンの画像を撮影するＣＣＤセンサを備えている。この近赤外線波長の使用は、周辺の光を検知し難い撮影とする。（図示されていない）レンズは、手首の撮影部分のサイズを制御して、カメラが手首から好適な間隔を開けている時に像をカメラの焦点に合わせるために、カメラ３の前に配備される。その焦点距離は１０〜８０ｍｍの範囲内である。
【００４８】
この手首の画像は、下側のブレード１０の両側における、この下側のブレード１０の二つの分岐部１００の間で撮影することができる。
【００４９】
このカメラ３は、止め具を閉じる時に様々な間隔及び様々な向きで一連の画像を撮影するように制御される。図１０に図示されている通り、この一連の画像は、手首の内側の画像、少なくとも数本の指の画像及び手掌の画像の中の一つ以上から構成され、これら全ての画像は、止め具４を閉じる時に、指、手掌及び／又は手首から間隔を開けてカメラを動かしながら撮影される。これらの画像は、ユーザを認証又は識別するために使用される。これらの手首、手掌及び／又は指の画像は、好ましくは、それぞれ手首、手掌及び／又は指の血管を含む。
【００５０】
コンピュータビジョンソフトウェアモジュールが、好適な画像、例えば、焦点の合った正しい向きの画像を順番に保持する。指、手掌及び／又は手首の隣り合う、或いは重なり合う部分の画像は、一つの大きな画像に組み合わされる。同じ領域の連続した画像は、その領域のより大きな解像度の画像、より良好に焦点の合った画像、よりダイナミックな画像及び／又はよりノイズの少ない画像に組み合わされる。
【００５１】
撮影すべき手首の部分を照明するために、照明光源１５、例えば、近赤外線ＬＥＤ又はＯＬＥＤがカバー１１に配備される。異なる波長で照明された同じ身体部分の異なる画像を同時に、或いは順番に撮影するために、様々な波長の光を放射する様々な光源、例えば、近赤外線ＬＥＤや可視光ＬＥＤが配備される。
【００５２】
一つの実施形態では、カメラ３の上、周囲又は下の光ガイドとして動作する、好ましくは、平坦な、透光性の板又はフォイルに入射させた光により、皮膚が照明される。光源１５が、この板に光を入射させて、上方及び下方の面で内面反射させる。この板のこれらの上方及び下方の面は、この板と空気の間の境界での内面反射を制御して、皮膚を照明するために内面反射する光と板の外側に散乱する光の強度を制御するために、格子構造で形成される。この板は、平坦であるか、或いは曲がっている。皮膚の画像は、この板を通って、センサに到達する。
【００５３】
これらの照明光源１５は、好ましくは、フォトダイオードアレーへの後方散乱を最小化して、静脈を最適に照明するために、この照明光源から放出された光が皮膚の表面下３ｍｍの深さに達するように構成される。
【００５４】
一つの実施形態では、これらの照明光源１５は、静脈の演色を改善するために、一つの組み合わされた画像に統合される異なる形で照明された一連の画像を提供するように切り換えられる。
【００５５】
この一連の画像の撮影は、例えば、カバーのロック／ロック解除のために使用されるボタン１１０の中の一つ又は専用の追加ボタンに作用することによって、ユーザにより起動される。一つの実施形態では、一連の画像の撮影を起動する動作は、カバー１１の両側におけるボタン１１０への人指し指と親指により作動されるピンチ機構によって実現される。このような人指し指と親指の使用は、カメラを不注意に操作して、撮った画像を不明瞭にしないことを保証する。
【００５６】
それに代わって、或いはそれに追加して、止め具４を閉じる時に撮影が自動的に起動される。一つの例では、ブレードを折り畳む間に、撮影を起動する電気接触が確立される。別の実施形態では、加速度計などの（図示されていない）慣性センサが、止め具の閉鎖を検出して、カメラ３を起動する。
【００５７】
図３は、二つのブレード１０と一つのカバー１１を備えたフリップ式止め具４の別の実施形態を図示している。この例では、カメラ３及び／又は発光部品１５は、下側のブレードの両側における下側のブレード１０の二つの分岐部１００の間の窓１０１を通して手首の画像を撮影するように、上側のブレード１０に取り付けられている。このカメラ３は、広角レンズを備える。それは近赤外線カメラである。それは、近赤外領域外の光を阻止するための光学フィルタを備える。
【００５８】
このセンサは、更に、カメラ３を制御するとともに、そのカメラを用いて撮影した画像を処理するための（図示されていない）集積回路、例えば、ＡＳＩＣを備える。このＡＳＩＣと、カメラ及びセンサに電力を供給するバッテリとは、カバー１１内に取り付けられる。それに代わって、これらのセンサとカメラは、ストラップ１２に取り付けられたスマートウォッチから電力を供給される。
【００５９】
また、この照明手段、例えば、近赤外線ＬＥＤは、カバー１１の下に取り付けられる。
【００６０】
図４ａと４ｂは、バタフライ式止め具４、即ち、中央の一つのブレード１１と側方の二つのブレード１０を備えた止め具を有するリストストラップ１２を図示しており、この止め具を閉じた状態に固定する時に、中央のブレードの半分の長さ以内（又は以上）に側方のブレードがそれぞれ折り畳まれるように、中央のブレード１１の各端には、一つの側方のブレードが連接されている。これらの（図示されていない）カメラ３、バッテリ及び集積回路は、中央のブレード１１が手首、手掌及び／又は指から１０ｍｍを上回る間隔を開けている時に焦点の合った像を撮影するために、１０ｍｍを上回る焦点距離となるように、中央のブレード１１の中又は下に取り付けられる。
【００６１】
図５ａと５ｂは、七つのブレード１０を備えたデプロイアント式止め具４を有するリストストラップ１２の別の例を図示しており、中央のブレード１０Ａが、電子機器、バッテリ及び１０ｍｍを上回る間隔から手首の画像を撮影する二つのカメラ３を有する。（図示されていない）照明部品も中央のブレード１０Ａの下に配備される。
【００６２】
図６ａと６ｂは、互いに動かして閉じた位置に一緒に固定することができる二つの部分から成るカバー１１を備えた止め具４を有するストラップ１２の別の例を図示している。このカバーの二つの部分は、カバーを閉じる時に一つの部分１１に引き戻されるワイヤー又はケーブル１３により互いに連結されている。カメラ３及び／又は（図示されていない）照明部品は、カバーの一つの部分１１の下に配備され、その部分は、止め具を閉じる時に側方に動かされ、そのため、手首、手掌及び／又は指の大きな部分を走査する。
【００６３】
図７は、時計のムーブメント及びディスプレイ用のケース１４と、ストラップ１２と、手首の内側を撮影するように構成された二つのカメラ３及び一つの照明部品１５を備えたカバー１１とを有する腕時計の例を図示している。このストラップ１２は、腕時計を装着できるように互いに弾力的に連結された複数のリンク１２０を備えている。図１０のようにストラップ１２を広げることによって、カメラ３を手首から間隔を開けて、例えば、１０ｍｍを上回る間隔を開けて動かして、指、手掌及び／又は手首の大きな部分を撮影するために、カメラを指、手掌及び手首の上にスクロールさせることも可能である。この時計１４のカバーの下には、別のカメラ又は血管センサが配備される。
【００６４】
図８は、二つの分岐部を備えたストラップ１２を有する腕時計の別の例を図示しており、１０ｍｍを上回る距離から手首、手掌及び／又は指の焦点の合った画像を撮影するために、一つのカメラ３と、場合によっては、照明システムとが、一つの分岐部の一端に取り付けられている。
【００６５】
図９ａと９ｂは、二つのブレード１０と一つのカバー１１を備えた止め具４を有するストラップ１２の別の例を図示している。二つのカメラと、場合によっては、（図示されていない）照明部品とが、カバー１１の下に配備されている。
【００６６】
これらの様々な実施形態の特徴を組み合わせることができる。例えば、複数のカメラを前述した実施形態の各々に配備することが可能である。各実施形態は、照明手段、例えば、近赤外線ＬＥＤ、広角レンズ、偏光フィルタなどの光学フィルタ、近赤外線フィルタ及び拡散器の中の一つ以上を備えることができる。各実施形態では、カメラ３は、そのカメラが１０ｍｍを上回る間隔、例えば、２０ｍｍを上回る間隔、典型的には、２５〜５０ｍｍの間隔を開けている時に、皮膚の下の血管の焦点の合った画像を撮影するように構成される。
【００６７】
この照明手段は、円形又は長方形の構成でカメラのレンズを取り囲むＬＥＤを備えることができる。これらのＬＥＤは、黒色又は茶色のプラスチック製拡散器内に取り付けられる。
【００６８】
識別又は認証タスクの信頼性は、撮影した画像内の特徴的な識別点の数に依存する。そのため、好ましくは、手掌の部分及び／又は指の部分を含む、ユーザの手首の大きな部分の大きな解像度の画像が、小さい解像度及び／又は小さいサイズの画像よりも信頼できる認識を可能とする。大きなサイズの画像は、皮膚から間隔を開けた大きなサイズのセンサを用いて撮影することができる。それに代わって、手首、手掌及び／又は指の隣り合う部分の一連の画像を撮影して、それらの連続した画像を手首、手掌及び／又は指の大きな部分に対応する一つの大きなサイズの画像に組み合わせることも可能である。これらの腕時計とセンサは、好ましくは、その一連の画像の各々の間を動かされる、例えば、スライドされる。この動きは、止め具を閉じるために必要な、止め具の一部の自然な動きである。
【００６９】
複数のカメラを使用することによって、撮影した部分のサイズを拡大することも可能である。異なるカメラの解像度は、同じであるか、或いは異なる。
【００７０】
一つの例では、手首に近い距離（５ｍｍ以内、場合によっては、０ｍｍ）から手首の画像を撮影するために、追加のセンサを時計の裏又は止め具又はストラップの内側に配備することができる。この追加のセンサは、基板、例えば、折り曲げ可能な基板、好ましくは、プラスチック基板に印刷された有機電子部品、例えば、有機光検出器を用いて製造される。有機光検出器は、例えば、インクジェット又はそれ以外のデジタル印刷技術を用いて、そのような基板に印刷される。これらの光検出器は、一つ又は複数の波長、例えば、近赤外線領域における、皮膚により反射された光を捕捉するように構成される。異なる波長の光を検出するために、同じ基板上に異なる光検出器が構成される。
【００７１】
この腕時計又はリストバンドは、一つ又は複数のセンサから画像を受信し、場合によっては、それらの画像を組み合わせ、場合によっては、スプーフィングの試みを検出するとともに、ユーザを認証又は識別するために、それらの画像を基準画像と照合する（図示されていない）プロセッサを備える。
【００７２】
画像における血管と残る部分の間のコントラストを上げるためのソフトウェアモジュールを本装置のメモリに保存して、プロセッサにより実行することができる。
【００７３】
センサ及び／又は前記のコントラストを上げるモジュールにより生成された画像におけるノイズを除去するためのソフトウェアモジュールを本装置のメモリに保存して、プロセッサにより実行することができる。
【００７４】
様々な波長で生成された異なる画像は、より大きな情報を有する単一の画像に組み合わされる。例えば、周辺の光により影響を受ける可視波長での画像の陰影とそれ以外の領域は、周辺の光を検知し難い赤外線センサからの情報を用いて補正される。それに代わって、異なる波長範囲で生成された異なる画像は、個別に基準画像と比較され、後者の場合、識別／認証の決定は、異なる波長での全ての分類結果に依存する。
【００７５】
このプロセッサは、更に、撮影した画像を少なくとも一つの基準画像と照合するモジュールを実行する。一つの実施形態では、撮影した画像の特徴は、リストバンドを装着したユーザにより要求された識別情報に対応する基準画像の特徴と比較される。この要求された識別情報は、例えば、識別子を入力することによって、場合によっては、パスワードと共に、場合によっては、センサを備えたスマートウォッチのディスプレイに、スマートウォッチと接続されたコンピュータ、スマートフォン又はタブレットなどの装置を用いて投入される。この識別情報は、例えば、ユーザが時計を始動する度に、或いは、ユーザが、例えば、保護されたアプリケーション又はウェブサイトにアクセスしたいと思う度に、求めに応じて要求される。
【００７６】
それに代わって、撮影された画像の特徴は、センサを備えたスマートウォッチに、或いはそのスマートウォッチのスマートカードに保存された一つの基準画像の特徴と比較される。この基準画像は、例えば、ユーザが初めてセンサを使用する時に、登録セッション中に投入される。この場合、ユーザは、生体認証センサを用いて認証する必要が有る度に自分の識別情報を要求する必要はなく、生体認証センサの役割は、主に、認証されたユーザがリストバンドを装着していることを保証することである。
【００７７】
別の実施形態では、この生体認証センサはバンドの装着者を識別するために使用され、それは、装着者の生体認証画像の特徴を様々なユーザに対応する画像の特徴と照合して、如何なる特定のユーザがリストバンドを保有しているのかを識別することによって行なわれる。
【００７８】
この識別又は認証は、ユーザが自分の装置を始動する度に、例えば、時計を着けた時、スマートウォッチのオペレーションシステムにログインした時に実行される。それは、ユーザが、例えば、保護されたアプリケーション、機能又はウェブサイトへのアクセスを要求した時に、求めに応じて実行することができる。それは、連続して、或いは定期的な時間間隔で実行することができる。例えば、品質及び信頼性の改善、ユーザが生きていることの検出及びスプーフィングの防止のために、複数の連続した画像が使用される。一つの実施形態では、ユーザが時計を着けた時に、最初の認証が実行され、ユーザが、例えば、保護されたアプリケーション、機能又はウェブサイトへのアクセスを要求した時に、求めに応じて、新たな認証又はその前の認証の確認が実行される。
【００７９】
これらの画像の照合は、トポグラフィカル（地形的）な特徴に対して画像を整列させる工程を有する。それは、撮影した画像から特徴を抽出して、それらの特徴を基準画像の対応する特徴と比較する工程を有する。
【００８０】
この整列には、手首の両端が見える場合、それらの手首の端を使用する。それには、手掌及び／又は指の端を使用する。
【００８１】
一つの使用例では、時計のユーザが、センサを備えた時計を自分の手首に置いて、止め具を固定した後、手の幅が更なる動きを停止させる手の後部で止まるまで時計を動かす。この停止は、クロック信号を始動する加速度計の変化を起動する。次に、ユーザは、時計を手首の上で動かして、手首が厚くなって更なる上方への動きを阻止する点で停止する。この動きが進行するにつれて、センサからの情報が、時計のトリガー毎にメモリに書き込まれて、手首、手掌及び／又は指の画像を提供する。
【符号の説明】
【００８２】
１    画像
３    カメラ
４    止め具
１０    ブレード
１０Ａ  中央のブレード
１１    カバー
１２    リストストラップ
１３    ワイヤー又はケーブル
１４    ケース
１５    照明ユニット
３０    血管
３１    周辺の組織
１１０    ボタン
１２０    リンク
【図１】
0006767755.tif 000002
【図２】
0006767755.tif 000003
【図３】
0006767755.tif 000004
【図４ａ】
0006767755.tif 000005
【図４ｂ】
0006767755.tif 000006
【図５ａ】
0006767755.tif 000007
【図５ｂ】
0006767755.tif 000008
【図６ａ】
0006767755.tif 000009
【図６ｂ】
0006767755.tif 000010
【図７】
0006767755.tif 000011
【図８】
0006767755.tif 000012
【図９ａ】
0006767755.tif 000013
【図９ｂ】
0006767755.tif 000014
【図１０】
0006767755.tif 000015